(57)【要約】第１の層および第２の層を含む、ポリマー電解質膜燃料電池用加湿装置であって、第１の層がポリマー電解質膜燃料電池１０の第１の表面と実質的に一致する多孔質材料１１を含み、第２の層が第１の層と実質的に一致する非吸湿性材料１２を含み、かつ第２の層の穿孔が、第１の層と第２の層を通って空気をポリマー電解質燃料電池のカソード１７に流すようにする装置。
2004520684.tif 000002
【特許請求の範囲】
【請求項１】
少なくとも第１の層および第２の層を含む加湿装置を備えるポリマー電解質膜燃料電池であって、第１の層が、ポリマー電解質膜燃料電池の第１の表面に隣接してまたはそのすぐ近傍に配置される空気透過性の吸湿性層を含み、第２の層が、第１の層に隣接してまたはそのすぐ近傍に配置される非吸湿性材料を含み、第２の層がその中に、第２の層および第１の層を通って燃料電池内部に空気を通過させる貫通開口部を有する燃料電池。
【請求項２】
ポリマー電解質膜燃料電池の第１の表面が、空気もしくは酸素接面を含む請求項１に記載の燃料電池。
【請求項３】
ポリマー電解質膜燃料電池の第１の表面が、カソードまたはカソード集電体を含む請求項１または２に記載の燃料電池。
【請求項４】
非吸湿性材料が剛性材料を含む請求項１から３のいずれかに記載の燃料電池。
【請求項５】
非吸湿性材料が、ステンレス鋼、ニッケル、チタンまたは他の金属のシートを含む請求項１から４のいずれかに記載の燃料電池。
【請求項６】
非吸湿性材料が、ＰＴＦＥもしくは関連ポリマー、プラスチック材料または複合材料、例えばＫｅｖｌａｒなどの非金属材料を含む請求項１から４のいずれかに記載の燃料電池。
【請求項７】
第２の層の非吸湿性材料が、隆起する形状を有する表面をもつシートの形状である請求項１から６のいずれかに記載の燃料電池。
【請求項８】
第２の層の貫通開口部が、第１の層と直接接していない請求項７に記載の燃料電池。
【請求項９】
空気透過性の吸湿性の第１の層が、多孔質材料を含み、かつ好ましくはクロス材料である請求項１から８のいずれかに記載の燃料電池。
【請求項１０】
空気透過性層が、親水性材料を含む請求項１から９のいずれかに記載の燃料電池。
【請求項１１】
ポリマー電解質膜燃料電池の第２の表面と実質的に一致する空気透過性の吸湿性層をさらに含む請求項１から１０のいずれかに記載の燃料電池。
【請求項１２】
ポリマー電解質膜燃料電池の第の２表面が燃料接面を含む請求項１１に記載の燃料電池。
【請求項１３】
ポリマー電解質膜燃料電池の第２の表面が、燃料流プレート、巻型、アノードまたはアノード集電体を含む請求項１１または１２に記載の燃料電池。
【請求項１４】
添付図面を参照して先に記述したポリマー電解質膜燃料電池。
【請求項１５】
添付図面を参照して先に記述したポリマー電解質膜燃料電池用加湿装置。
【請求項１６】
空気透過性で吸湿性の第１の層と、非吸湿性材料からなる内部に貫通開口部を有する第２の層と、第１の層と第２の層をそれぞれポリマー電解質膜燃料電池の第１の表面に固定するための取付け手段とを含むポリマー電解質膜燃料電池用加湿装置。
【請求項１７】
第１の層および第２の層を含む、ポリマー電解質膜燃料電池用加湿装置であって、第１の層がポリマー電解質膜燃料電池の第１の表面と実質的に一致する多孔質材料を含み、第２の層が第１の層と実質的に一致する非吸湿性材料を含み、かつ第２の層の穿孔が、第１の層と第２の層を通って空気をポリマー電解質燃料電池のカソードに流すことを可能にする装置。
【請求項１８】
ポリマー電解質膜燃料電池を改造して該電池の性能を向上させる方法であって、請求項１に記載の加湿装置を、燃料電池の第１の表面上に設置することを含む方法。
【発明の詳細な説明】
【技術分野】
【０００１】
本発明はポリマー電解質膜燃料電池（ＰＥＭＦＣ）の加湿装置、加湿装置を含む燃料電池、およびそうした装置を含むように燃料電池を改造する方法に関する。
【０００２】
ＰＥＭＦＣは空気もしくは酸素接面および燃料接面を有する。使用する電解質は薄い（１０〜２００μｍ）プロトン伝導ポリマー膜を含み、多くの場合ペルフルオロカーボンスルホン酸をベースとしている。膜の両側に触媒層を結着し、次いで空気もしくは酸素に面する側にガス拡散層を、また燃料に面する側にガス拡散層を結着する。ガス拡散層は通常カーボンクロスまたはカーボン紙である。ガス拡散層はしばしば触媒層と接する表面が疎水性となるように処理して、触媒層のすぐ近傍から水が除去されるようにする。ガス拡散層の例としては、Ｅｔｅｋ（米国）製の「Ｔｏｒａｙ（商標）カーボン紙」、またはＷＬ  Ｇｏｒｅ（米国）製の「Ｃａｒｂｅｌ（商標）」が含まれる。最後に導電性材料を、空気もしくは酸素側に加えてカソードを形成し、導電性層をアノードとして燃料側に加える。使用する際、燃料、一般には水素ガスをアノードに供給し、酸素を純酸素からまたはより一般的には周辺空気からカソードに供給する。電池反応は以下の式で表すことができる。
【０００３】
アノードでは：Ｈ２→２Ｈ＋＋２ｅ−
カソードでは：１／２Ｏ２＋２Ｈ＋＋２ｅ−→Ｈ２Ｏ
電池反応の副産物は水である。ＰＥＭＦＣの効率はポリマー膜の導電性に大きく依存し、次に導電性は膜中に保持される水の量に依存する。
【０００４】
ポリマー電解質膜燃料電池は、単位電池当たり約０．５Ｖで最大電力を生じる分極曲線を有する。燃料電池装置は最大電力で作動させるのが有利であるが、抵抗損失が燃料電池の温度を上昇させる。この温度上昇がポリマー電解質膜から水を追い出し電解質膜の乾燥をもたらす。電解質膜が乾燥するにつれてその抵抗が増大する。これがさらなる温度上昇を招き、膜から水をさらに追い出すことになる。したがって水を効率的に管理することが、燃料電池を連続的に最大電力で作動できるようにするために不可欠である。
【０００５】
ポリマー電解質膜の脱水の問題はいくつかの方法で検討されている。欧州特許第０９８０１０６号明細書には、液体として水をカソードに、したがって電解質膜に供給する装置が記載されている。これによって必要な加湿はもたらされるが、独立した水の供給およびポンピング装置が必要である。このためポリマー電解質燃料電池の電力プラントは、複雑で重量が大きくかつ嵩だかなものとなる。
【０００６】
別法は、燃料ガス、通常は水素を燃料電池に供給する前に水に通すものである。この場合も外部装置および水の供給が必要である。
【０００７】
他の方法が米国特許第５，５０３，９４４号明細書に記載されている。これは電解質に必要な水を供給しさらに冷却装置として機能する閉じた水の循環ループを用いている。この方法も追加の装置を必要とし、上記した他の方法と同様に、追加の水を供給することによって電解質膜の脱水の問題を回避している。
【０００８】
本発明によれば、少なくとも第１の層と第２の層を含む加湿装置を備えるポリマー電解質膜燃料電池であって、第１の層が、ポリマー電解質膜燃料電池の第１の表面に隣接してまたはそのすぐ近傍に配置された空気透過性の吸収層を含み、第２の層が、第１の層に隣接してまたはそのすぐ近傍に配置される非吸湿性材料を含み、かつ第２の層がその中に、第２の層および第１の層を通って燃料電池内部に空気を通過させる貫通開口部を有するポリマー電解質膜燃料電池が提供される。
【０００９】
本発明は、一方で十分な空気をなおカソードに到達させながら、ＰＥＭＦＣの第１の表面に、したがってＰＥＭＦＣの膜の近傍に水を保持する。これによって膜の湿度が維持され、したがってその導電性が維持される。それ故燃料電池から長い期間最大電力を引き出すことができる。上記の従来技術の手法とは異なり、本発明は、追加の水を供給することによってではなく、燃料電池の運転中に生成する水を効率的に管理することによって、ポリマー電解質膜の脱水の問題に対処する。したがって、水の貯蔵および関連するポンピングおよび供給の手段を必要とせず、サイズが小さくかつ軽量となり、堅牢性が向上する。
【００１０】
第１の層は、設備によっては中間層が存在してもよいが、通常、燃料電池の外側表面に直接接し導電性はもたない。
【００１１】
ポリマー電解質燃料電池の第１の表面は、空気もしくは酸素接面を含むことが好ましい。これはカソードまたはカソード集電体でよい。
【００１２】
カソードまたはカソード集電体は保護表面層すなわち保護コーティングを備えることができる。これは例えばカソードの破損を保護するためのプラスチック層であってもよい。この場合、第１の層はこの保護コーティングと実質的に一致することができる。
【００１３】
非吸湿性材料は、空気を流入させるために設ける貫通開口部以外は、不浸透性障壁またはシェルを形成する実質的に固体構造の形状でよい。貫通開口部は、予め形成させた通路または孔を含むか、または穿孔として後で設けることができる。いずれにしろ、これらの貫通開口部は第２の層の一方の表面から反対側の表面に延び、第２の層を通って空気を通過させる。第２の層の開口部（例えば通路または穿孔）は、その形状が簡単で例えばドリルなどにより製造しやすいため、円形状が最も好都合である。スロット状や四角状などの他のどのような形状をした通路または穿孔も同様に使用できることは明らかである。さらに、第２の層の個々のどの通路または穿孔もすべて同じような大きさである必要はない。
【００１４】
第２の層の貫通開口部の大きさおよび個数は、カソードに空気（酸素）が適切に供給されることと、ポリマー電解質膜近傍で水が効率的に保持されることの間のバランスが達成されるようにすることが好ましい。第２の層中の開口表面領域は、通常その１０％を超えず、応用例のほとんどで５％を超えない。
【００１５】
非吸湿性材料は剛性材料を含むことが好ましい。
【００１６】
非吸湿性材料はステンレス鋼、ニッケル、チタンまたは他の金属を含むことが好ましい。
【００１７】
あるいは、非吸湿性材料は、ＰＴＦＥもしくは関連ポリマー、プラスチック材料、または複合材料、例えばＫｅｖｌａｒ（商標）などの非金属材料を含むことができる。
【００１８】
第１の層と第２の層は通常互いにかつ燃料電池外側表面と接し、互いに接した状態でしっかりと保持または固定することができる。第２の層の非吸湿性材料は、隆起した形状（ｆｅａｔｕｒｅ）をもつ表面を有するシートの形状が好ましい。これらの形状は、隆起（ｒｉｄｇｅ）または波形を形成する一連の連結した空隙または溝を含むことができ、「卵の箱」に見られるような一連の山と谷を構成することができる。これによって第１の層と第２の層の間に空隙が生じ、空気がそこを循環することができる。そのような隆起した第２の層上では、隆起は好ましくは高さ５ｍｍを超えず、形状は湾曲状でも角張っていてもよい。
【００１９】
第２の層の貫通開口部は、第１の層と直接接しないことが好ましい。
【００２０】
第２の層は、任意選択で、燃料電池の上または周りに堅く固定できる取付け手段を有する、燃料電池用のカバーの形状とすることができる。
【００２１】
空気透過性の吸湿性の第１の層は、膜のすぐ近傍の領域に水を貯蔵する。この層は通常多孔質材料を含み、その材料は織布または不織布材料を含むことができる。第１の層は理想的には親水性材料を含む。一般に、第１の層は１枚または複数枚のシートから形成され、少なくとも１枚のシートは吸水性のものであり、綿、他の天然繊維または特に適している吸湿性合成繊維のクロスを含むことができる。他の例としては水を吸い込みかつ保持する特性を有する紙や他のシートが含まれる。
【００２２】
多孔質材料の空隙率は燃料電池の性能に影響を及ぼす。材料の空隙率が高いと、空気が燃料電池のカソードへ浸透するのを助けるが、脱湿速度も増大させる。反対に、材料の空隙率が低いと、膜の乾燥防止に関しては有利だが、カソードの空気（酸素）が欠乏する傾向がある。
【００２３】
燃料電池に隣接する第１の層の表面（または表面層領域）は疎水性であると有利である。例えば、この層を処理して、燃料電池に隣接した側面で撥水性となるようすることができる。これはガスの流路内に水を保持することを助け、加湿を確実にする。表面または表面層領域を撥水性にするために過フッ素化ポリマーを用いたプラズマコーティングもしくはスプレーなどのいくつかの方法を使用することができる。過フッ素化ポリマーには、ポリテトラフルオロエチレン（ＰＴＦＥ）、他のポリフルオロアルキルまたはポリフルオロシラン、またはポリフッ化ビニリデン（ＰＶＤＦ）、ハロアミノおよび他の置換トリアジンポリマーなどの他のポリマーが含まれる。Ｃｙｔｏｎｉｘ  Ｃｏｒｐｏｒａｔｉｏｎ社製のＦｌｕｏｒｏｔｈａｎｅ（商標）やＦｌｕｏｒｏＳｙｌ（商標）またＴｕｌｃｏ  Ｉｎｃ社製のＴｕｌｌａｎｏｘ（商標）などの超疎水性のフルオロエタンコーティング剤、およびＰａｒａＬａｓｔ（商標）やＰａｒｙｌｅｎｅ（商標）などのプラズマコーティング剤が特に適している。
【００２４】
別法では、独立した疎水性の空気透過性層を燃料電池と第１の層の間に介在させて、燃料電池表面に撥水機能をもたせ、その結果第１の層の処理を不要にすることができる。
【００２５】
さらに、加湿装置は、ポリマー電解質膜燃料電池の第２の表面と実質的に一致する空気浸透性の吸湿性層を含むことが好ましい。
【００２６】
ポリマー電解質膜燃料電池の第２の表面は、燃料接面を備えることが好ましい。これは燃料流プレート、巻型（ｆｏｒｍｅｒ）、アノードまたはアノード電流コレクタであってよい。第１層中に保持されている水分は、燃料流にのって、燃料電池に戻される。これによって燃料電池の膜はさらに加湿され、性能がより向上する。
【００２７】
他の態様では、本発明は、空気透過性で吸湿性の第１の層と、非吸湿性材料からなる内部に貫通開口部を有する第２の層と、第１の層および第２の層をそれぞれポリマー電解質膜燃料電池の第１表面に固定するための取付け手段とを含む、ポリマー電解質膜燃料電池用加湿装置を提供する。加湿装置は、平板形燃料電池または円筒形燃料電池を改造するためのキットを含むことができる。
【００２８】
要約すると、疎水性の表面層または表面領域が、燃料電池本体に接して設けられている場合に、燃料電池へのガスのアクセスを確実に維持するようにしながら、加湿装置の不浸透性の第２の層が、対流と蒸発による水分のロスを最小限にして、吸湿性、好ましくは親水性の第１の層の部分がその中に水を保持できるようにする。
【００２９】
本発明はさらに、第１の層および第２の層を含む、ポリマー電解質膜燃料電池の加湿装置であって、第１の層がポリマー電解質膜燃料電池の第１の表面と実質的に一致する多孔質材料を含み、第２の層が第１の層と実質的に一致する非吸湿性材料を含み、かつ第２の層の穿孔が、第１の層と第２の層を通って空気をポリマー電解質燃料電池のカソードに流すことを可能にする装置を提供する。
【００３０】
次に本発明を添付の図面を参照して具体的に記述するが、これらは例にすぎない。
【００３１】
平板形燃料電池１の空気接面を多孔質クロス２でカバーをする。このクロスを作っている材料は、その材料を撥水性にするためにＰＴＦＥをスプレーしていた。次いでこのクロスを図１に示すような穿孔した平板ステンレス鋼シート３、または図２に示すような穿孔した波形シート５でカバーをする。この例では、シート３および５は厚さが０．１２ｍｍで３列の穿孔４を有する。図１および２に示す穿孔の列状の配置は単に例示的なものである。多くの代替配置を考案することができる。波形シート５の場合、穿孔をクロス層からできるだけ遠くするために波形隆起の上に位置させる。この例では、穿孔の直径および密度は、第２の層表面の約１．５％が穿孔されるようにしている。穿孔の程度は、燃料電池のタイプおよび用途にもよるが、一般に、第２の層表面の１〜１０％を穿孔する。しかし、より高いまたは低い程度の穿孔も用いることができる。
【００３２】
拡張試験の結果を図３に示す。曲線６、７、８、および９は、それぞれカバーのない平板形電池１、クロス２だけでカバーをした平板形電池、図１（クロスおよび平らなプレート）に示すカバーをした平板形電池および図２（クロスおよび波形プレート）に示すカバーをした平板形電池の電圧０．５Ｖでの電流を示す。カバーのない電池では平均電流約０．８Ａが発生したが、これは図２に示す加湿装置を設けた電池での平均１．２５Ａおよび図１に示す装置での２．５Ａを超える電流と対比できる。性能の向上は明らかで、図１の装置の場合、カバーのない電池と比べて電力は３倍に増大することを示している。
【００３３】
円筒形燃料電池用の加湿装置の例を図４〜６に示す。円筒形燃料電池１０の空気接面をクロス１１で包む。クロスの材料は、撥水性になるように内側表面上にポリフッ化ビニリデン（ＰＶＤＦ）をスプレーした。次いでこのクロス１１を、穿孔しかつ波形にしたステンレス鋼シート１２で包み、適切な位置に保持する。シート１２、この例では厚さは０．１２ｍｍ、をより詳細に図５に示す。０．７５ｍｍ２の穿孔４が４８個、等間隔に１６個の波形１３の尖頭上にある。このことは、この例では穿孔が第２の層の表面領域の約４．５％を占めることを意味する。上述のように、平板形燃料電池を参照すると、第２の層の表面穿孔の程度は燃料電池のタイプおよび用途に依存し、必要に応じてこの値より大きくても小さくてもよい。図４に示すように、この配置によって第１の層と第２の層間に溝１４ができ、空気が流れるようにする。この例では、穿孔は波形層の表面上に実質的に等間隔に配置されているが、これは考えられる多くの配置の単なる一つであって、本発明を説明するために示したにすぎないことは明らかであろう。
【００３４】
３個の電池の円筒形燃料電池装置１５を図６に示す。各電池１０は、穿孔した巻型１６の周りに作製されていて、アノードおよび触媒をコーティングしたポリマー電解質膜（どちらも図示せず）ならびに穿孔したカソード集電体１７を組み込んでいる。この円筒形燃料電池装置の詳細は、本出願の同時係属特許出願国際公開第９９／６０６４２号パンフレットの主題である。カソード集電体１７の周りを吸湿性クロス１１で包み、次いで穿孔した波形のシート１２で包む。図６では、各波形シート１２はカソード集電体１７の周りに、丁度合う幅をとっていることがわかる。これによって、燃料電池の作業部分のみを確実にカバーすることによって材料が効率よく使用されるが、図７のように、装置１５内の３個の電池すべてをカバーして延びる単一の波形シートを提供する方がより簡単である可能性がある。同様に、装置のすべての電池をカバーする単一の吸湿性クロス１１を使用することもできる。さらに、ある程度重なっていて、それによって一方の層が他方より大きいまたは小さくてもよい。これを図８に示すが、この場合、穿孔したシート１２は吸湿性クロス１１より大きく、クロス自体はカソード集電体１７より大きい。
【００３５】
使用に際して、カソード１７に隣接するクロスの内側表面と、波形ステンレス鋼シート１２に隣接するクロス１１の外側表面との間に温度差がある。この温度差により、水がステンレス鋼シートの内側表面上に凝縮し、クロス中に保持される。ステンレス鋼シートの穿孔４およびクロスを通過してカソードに達する空気が、この保持された水によって加湿される。保持された水も、カソード集電体１７の穿孔を通過してポリマー電解質膜の湿度を維持することができる。
【００３６】
図９は、図６の燃料電池の長時間持続試験結果を示す。最大電圧（０．５Ｖ）での平均電流出力は、加湿装置（図９の曲線１８）を使用した場合は約３．５Ａであるが、使用しない場合（図９の曲線１９）は２．５Ａにすぎない。これは電力が約４０％向上していることを示している。
【００３７】
穿孔した代替のシートを図１０に示す。このシート２０は、「卵の箱」タイプの表面を形成する隆起した形状２１を有する。穿孔４は、クロス層２からできるだけ遠くなるように、隆起した形状の上に配置する。これにより、空気がそこを通って循環する空隙２２が生じる。このシートと上記の波形シートは、適切な表面の２つの例にすぎず、本発明の範囲を逸脱することなく多くの他の例が考えられることは容易に明らかであろう。
【００３８】
燃料電池の燃料接面と一致する多孔質層を設けることによって、さらなる性能の向上を実現することができる。平板形燃料電池に適した例を図１１に示す。燃料電池（図示せず）のアノードへ燃料を向けるために水素流プレート２３を使用する。多孔質層２４は水素流プレート２３と実質的に一致するように配置する。水素の漏れを防止するために、多孔質層をホルダ２５内に収め、支持プレート２６で支える。この例では、多孔質層２４は「Ｈ」型をしているが、これは特に意味を持たない。使用中に燃料電池から追い出された水は、多孔質層上に保持され、水素燃料流にのって燃料電池に再導入される。
【００３９】
図１２および１３に示すように、同様の配置を円筒形燃料電池に使用することができる。燃料電池１０を、穿孔した巻型１６の周りに形成する。この巻型は、図１１に示す水素流プレートとほとんど同じように水素を燃料電池のアノードへ向ける。実質的に巻型と一致する多孔質層２７を、使用の際に燃料電池から追い出される湿気を保持するために使用する。前と同じように、この湿気は水素ガス流にのって燃料電池に再導入されるが、円筒形燃料電池の場合、燃料電池の中心の空隙を通して供給される。多孔質層は図１２のように比較的薄いか、または図１３のように中心の空隙を満たすか、またはその中間の任意の厚さにしてもよい。
【００４０】
性能の向上を図１４に示す。曲線２８は、図４に示す空気接面と一致する加湿装置を有する燃料電池を表す。曲線２９は、燃料電池の燃料接面と一致する追加の多孔質層を有する図１２に示す燃料電池を表す。向上は、何もつけない燃料電池と、多孔質層および波形層でカバーをした燃料電池との間、すなわち図９の曲線１９と１８によって示される燃料電池で見られる向上ほど、著しくない。それでも有意に（約４％）さらに向上している。
【実施例】
【００４１】
図６に示すタイプの単一の円筒型燃料電池の加湿装置を形成する、２層カバーの有効性の実証は、燃料電池内の水素燃料中の湿度をモニタすることによって認めることができる。
【００４２】
他の加湿方法によってではなく水蒸気の唯一の供給源は、カソード触媒層の水の生成場所から、ポリマー電解質膜を通して水を逆拡散することにある。逆拡散速度は、膜内での飽和度にある程度依存し、飽和度が大きくなるほど逆拡散速度は大きくなる。
【００４３】
燃料電池の湿度の監視は、湿度センサ（Ｈｏｎｅｙｗｅｌｌ  ＨＩＨ  ３６０５Ａ）を円筒型燃料電池の中心の空隙部に入れて実施した。この装置は、ガス状水素燃料中の湿度を監視するのに使用した。加湿を全くしない場合、バックグラウンドの相対湿度は１５％であった。吸湿性クロスおよび波形金属層からなり、円筒型燃料電池の表面上に配置されたカバーは、円筒型燃料電池の表面から取り外すことができる。これによって、燃料電池内で、カバーがある場合とない場合の湿度の比較を得ることができた。燃料電池を通る水素流の速度は０．６６７ｍｌ／分であった。
【００４４】
燃料電池の周囲温度および周囲湿度を制御するために、環境小室（Ｖｏｅｔｓｃｈ  Ｉｎｄｕｓｔｒｉｅｔｅｃｈｎｉｋ  ＶＣ  ４０１８）を使用した。５０ｍＡ  ｃｍ−２の平均電流が得られるまで燃料電池に電気負荷をかけ、電池電圧、湿度センサからの出力および表面温度をすべて監視し、安定したのち、データを記録した。
【００４５】
一連の実験を通して監視した電池電圧の結果を、表１に示す。結果は、カバーをした燃料電池の場合、燃料電池の稼動電圧がより高いことを示しており、このことは図９に示すデータをさらに裏付けるものである。
【表１】
2004520684.tif 000003
【００４６】
内部湿度の測定結果を表２に示す。
【表２】
2004520684.tif 000004
【００４７】
この結果は、カバーを使用した場合、燃料電池内の湿度はより高いことを示しており、このことは、膜中により多くの水が存在してプロトンの伝導の助けとなっていることを示している。これは、望ましい結果であり、カバーが、水を保持する有効な方法であることを示している。
【００４８】
平板形および円筒形燃料電池を参照して説明したが、本発明の考え方を他の異なる形状の燃料電池装置に適用できることは明らかであろう。さらに、上記の説明および実施例は、加湿装置を、燃料として水素を使用する燃料電池に適用することに関するものであるが、これに限定するものではない。本発明の装置は、他のタイプ、例えばメタノールまたは他の炭化水素を燃料として使用する燃料電池にも用途を見出すことができる。
【図面の簡単な説明】
【００４９】
【図１】本発明による加湿装置を備えた平板形燃料電池の分解図である。
【図２】本発明による代替加湿装置を備えた平板形燃料電池の他の分解図である。
【図３】本発明による加湿装置を有する場合と有しない場合の、図１および２の燃料電池の最大電圧における電流をプロットした図である。
【図４】本発明による円筒形ポリマー電解質膜燃料電池の加湿装置の他の例の断面図である。
【図５】本発明による円筒形燃料電池用加湿装置の第２の層として使用するのに適した穿孔を有する波形ステンレス鋼シートの例を示す図である。
【図６】図５のシートを円筒形燃料電池装置の周囲の適切な位置に組み込んだ燃料電池の加湿装置の分解図である。
【図７】３個の燃料電池要素をカバーして延びる穿孔した層を組み込んだ加湿装置を示す図である。
【図８】重なり合う第１の層と第２の層を有する加湿装置の分解図である。
【図９】本発明による燃料電池の加湿装置を有する場合と有しない場合の、図６の燃料電池装置の最大電圧での電流を時間に対してプロットした図である。
【図１０】本発明での使用に適する隆起した形状を有する別の穿孔層の実施例を示す図である。
【図１１】平板形燃料電池用の別の加湿装置の分解図である。
【図１２】燃料電池の燃料接面と一致する第２の多孔質層を組み込んだ図４の円筒形燃料電池の実施例を示す図である。
【図１３】燃料電池の燃料接面と一致する第２の多孔質層を組み込んだ図４の円筒形燃料電池の実施例を示す図である。
【図１４】図１２の燃料電池装置の最大電圧における電流を時間に対してプロットした図である。
【図１】
2004520684.tif 000005
【図２】
2004520684.tif 000006
【図３】
2004520684.tif 000007
【図４】
2004520684.tif 000008
【図５】
2004520684.tif 000009
【図６】
2004520684.tif 000010
【図７】
2004520684.tif 000011
【図８】
2004520684.tif 000012
【図９】
2004520684.tif 000013
【図１０】
2004520684.tif 000014
【図１１】
2004520684.tif 000015
【図１２】
2004520684.tif 000016
【図１３】
2004520684.tif 000017
【図１４】
2004520684.tif 000018
【国際公開パンフレット】
2004520684.tif 000019
2004520684.tif 000020
2004520684.tif 000021
2004520684.tif 000022
2004520684.tif 000023
2004520684.tif 000024
2004520684.tif 000025
2004520684.tif 000026
2004520684.tif 000027
2004520684.tif 000028
2004520684.tif 000029
2004520684.tif 000030
2004520684.tif 000031
2004520684.tif 000032
2004520684.tif 000033
2004520684.tif 000034
2004520684.tif 000035
2004520684.tif 000036
2004520684.tif 000037
2004520684.tif 000038
2004520684.tif 000039
2004520684.tif 000040
2004520684.tif 000041
2004520684.tif 000042
2004520684.tif 000043
【国際公開パンフレット（コレクトバージョン）】
2004520684.tif 000044
2004520684.tif 000045
【国際調査報告】
2004520684.tif 000046
2004520684.tif 000047
2004520684.tif 000048